(57)【要約】【課題】検眼と聴力検査とを容易に続けて行うことができる検眼装置を提供する。【解決手段】一対の検眼窓２１を通して視標１１を見る各被検眼１２ａ，１２ｂの視機能を矯正するための矯正レンズ２２を各検眼窓２１内にそれぞれ選択的に配置する矯正装置１４に、被検者１２の聴力を検査するための検査音を出力する検査音出力装置２３を設ける。【選択図】図１
2008220805.tif 000002
【特許請求の範囲】
【請求項１】
視標を見るための一対の検眼窓がそれぞれ被検者の左右の被検眼に対応するように互いに間隔をおいて形成され、前記各検眼窓を通して前記視標を見る前記各被検眼の視機能を矯正するための光学素子を前記各検眼窓内にそれぞれ選択的に配置する矯正装置を備え、該矯正装置には、前記被検者の聴力を検査するための検査音を出力する検査音出力装置が設けられていることを特徴とする検眼装置。
【請求項２】
前記検査音出力装置は一対のスピーカーを備え、一方の該スピーカーは、前記被検者の右眼に対応する一方の前記検眼窓の右側に配置され、他方の前記スピーカーは、前記被検者の左眼に対応する他方の前記検眼窓の左側に配置されていることを特徴とする請求項１に記載の検眼装置。
【請求項３】
前記各スピーカーは、前記矯正装置の前記各検眼窓の配列方向に沿った左右方向、該左右方向に直交する上下方向、及び、該上下方向及び前記左右方向のそれぞれに直交する前記矯正装置の前後方向のうち少なくとも一方向に移動可能に、それぞれ前記矯正装置に設けられていることを特徴とする請求項２に記載の検眼装置。
【請求項４】
各種のデータの入力を受ける入力部と、前記矯正装置及び前記検査音出力装置のそれぞれの作動を制御する制御回路と、前記入力部に音声を入力するための音声入力手段とを更に備え、前記制御回路は、前記音声入力手段から前記入力部に入力された音声を前記各スピーカーから出力すべく前記検査音出力装置の作動を制御可能であることを特徴とする請求項２又は３に記載の検眼装置。
【請求項５】
前記制御回路は、前記音声入力手段に検者の声と周囲の音とがそれぞれ入力されたとき、前記検者の声と周囲の音とのそれぞれの音量を比較し、周囲の音の音量が前記検者の声の音量よりも大きいと判断した場合は、前記各スピーカーから出力される前記音声の音量を増大させることを特徴とする請求項４に記載の検眼装置。
【請求項６】
前記入力部には前記被検者の個人データの入力が可能であり、前記制御回路は、前記音声入力手段により入力されて前記各スピーカーから出力される前記音声の音量を前記個人データに基づいて調節することを特徴とする請求項４又は５に記載の検眼装置。
【請求項７】
前記個人データは前記被検者の年齢を示す年齢データであることを特徴とする請求項６に記載の検眼装置。
【請求項８】
前記個人データは前記被検者の聴力を示す聴力データであることを特徴とする請求項６に記載の検眼装置。
【発明の詳細な説明】
【技術分野】
【０００１】
本発明は、被検眼の視機能を検査するための検眼装置に関する。
【背景技術】
【０００２】
従来、眼鏡を作成する際に該眼鏡のレンズの屈折度数を定めるために、被検者の左右の被検眼の視機能を被検者の応答に基づいて検査するための検眼装置が知られている（例えば、特許文献１参照。）。
【０００３】
このような検眼装置は、被検眼の視機能を矯正するための矯正装置を備える。矯正装置は、視標を見るための検眼窓が左右の被検眼に対応して設けられている。各検眼窓内には、それぞれ被検眼を矯正するための複数の矯正レンズが選択的に配置される。
【０００４】
被検眼の視機能を検査する際、検者は、矯正レンズを通して視標を見たときの視標の見え具合を被検者に質問し、被検者からの応答に基づいて矯正レンズを切り替える。これにより、被検眼の視機能が矯正され、作成すべき眼鏡のレンズの屈折力の値を定めることができる。
【特許文献１】特開２００２−１４３０９２号公報
【発明の開示】
【発明が解決しようとする課題】
【０００５】
ところで、特に高齢者は、眼と共に耳の機能が衰えるため、眼鏡と共に補聴器を購入することが多い。このため、眼鏡に加えて補聴器を取り扱う眼鏡店等では、眼鏡を処方するための視機能の検査と補聴器を処方するための聴力検査とを続けて行う。聴力検査を行う際、検眼装置とは別の専用の聴力検査装置を用いて行われる。
【０００６】
しかしながら、検眼と聴力検査とが別個の装置を用いて行われることから、一方の検査が終了した後、他方の検査を行うために該他方の検査を行うための装置が配置されている場所に被検者を移動させる必要がある。このため、被検者が高齢者である場合や車椅子に乗っている場合には特に不便である。
【０００７】
そこで、本発明の目的は、検眼と聴力検査とを容易に続けて行うことができる検眼装置を提供することにある。
【課題を解決するための手段】
【０００８】
上記課題を解決するために、請求項１に記載の発明は、視標を見るための一対の検眼窓がそれぞれ被検者の左右の被検眼に対応するように互いに間隔をおいて形成され、前記各検眼窓を通して前記視標を見る前記各被検眼の視機能を矯正するための光学素子を前記各検眼窓内にそれぞれ選択的に配置する矯正装置を備え、該矯正装置には、前記被検者の聴力を検査するための検査音を出力する検査音出力装置が設けられていることを特徴とする。
【０００９】
請求項２に記載の発明は、請求項１に記載の発明において、前記検査音出力装置は一対のスピーカーを備え、一方の該スピーカーは、前記被検者の右眼に対応する一方の前記検眼窓の右側に配置され、他方の前記スピーカーは、前記被検者の左眼に対応する他方の前記検眼窓の左側に配置されていることを特徴とする。
【００１０】
請求項３に記載の発明は、請求項２に記載の発明において、前記各スピーカーは、前記矯正装置の前記各検眼窓の配列方向に沿った左右方向、該左右方向に直交する上下方向、及び、該上下方向及び前記左右方向のそれぞれに直交する前記矯正装置の前後方向のうち少なくとも一方向に移動可能に、それぞれ前記矯正装置に設けられていることを特徴とする。
【００１１】
請求項４に記載の発明は、請求項２又は３に記載の発明において、各種のデータの入力を受ける入力部と、前記矯正装置及び前記検査音出力装置のそれぞれの作動を制御する制御回路と、前記入力部に音声を入力するための音声入力手段とを更に備え、前記制御回路は、前記音声入力手段から前記入力部に入力された音声を前記各スピーカーから出力すべく前記検査音出力装置の作動を制御可能であることを特徴とする。
【００１２】
請求項５に記載の発明は、請求項４に記載の発明において、前記制御回路は、前記音声入力手段に検者の声と周囲の音とがそれぞれ入力されたとき、前記検者の声と周囲の音とのそれぞれの音量を比較し、周囲の音の音量が前記検者の声の音量よりも大きいと判断した場合は、前記各スピーカーから出力される前記音声の音量を増大させることを特徴とする。
【００１３】
請求項６に記載の発明は、請求項４又は５に記載の発明において、前記入力部には前記被検者の個人データの入力が可能であり、前記制御回路は、前記音声入力手段により入力されて前記各スピーカーから出力される前記音声の音量を前記個人データに基づいて調節することを特徴とする。
【００１４】
請求項７に記載の発明は、請求項６に記載の発明において、前記個人データは前記被検者の年齢を示す年齢データであることを特徴とする。
【００１５】
請求項８に記載の発明は、請求項６に記載の発明において、前記個人データは前記被検者の聴力を示す聴力データであることを特徴とする。
【発明の効果】
【００１６】
請求項１に記載の発明によれば、各検眼窓を通して視標を見る被検眼の視機能を矯正するための矯正装置に、被検者の聴力を検査するための検査音を出力する検査音出力装置が設けられていることから、眼鏡を処方するための視機能の検査と補聴器を処方するための聴力検査とを単一の装置を用いて行うことができる。
【００１７】
これにより、検眼及び聴力検査を続けて行う場合、一方の検査を行ったときと同一の場所で他方の検査を行うことができるので、前記一方の検査が終了した後、前記他方の検査を行うために該他方の検査を行うための装置が配置されている場所に被検者を移動させる必要はない。
【００１８】
従って、被検者が高齢者である場合や車椅子に乗っている場合でも、検眼と聴力検査とが別個の装置を用いて行われる従来の場合のような不便さを被検者に与えることなく、検眼及び聴力検査を確実に容易に続けて行うことができる。
【００１９】
請求項２に記載の発明によれば、検査音出力装置の一対のスピーカーのうち一方のスピーカーは、被検者の右眼に対応する一方の検眼窓の右側に配置されており、他方のスピーカーは、被検者の左眼に対応する他方の検眼窓の左側に配置されている。
【００２０】
このことから、被検者が被検眼で各検眼窓を覗いている状態では、前記一方のスピーカーは、左右の被検眼とほぼ同一の高さ位置に位置する左右の耳のうち右側の耳の近傍に配置され、前記他方のスピーカーは、左側の耳の近傍に配置される。
【００２１】
これにより、例えば、被検眼の検査を行った後、被検者が被検眼で各検眼窓を覗いている状態で各スピーカーから検査音を出力することにより、検眼を行った姿勢を維持した状態で被検者の聴力検査を行うことができる。
【００２２】
従って、検眼及び聴力検査のうち一方の検査から他方の検査に移行するとき、被検者に格別な動作を行わせる必要はないので、被検者に不便さを与えることをより確実に防止することができる。
【００２３】
また、例えば各検眼窓の高さ位置を被検眼の高さ位置に合わせるために矯正装置の高さ位置を調節したとき、それと同時に各スピーカーの位置をそれぞれ被検者の各耳の位置に整合させることができる。
【００２４】
これにより、検眼及び聴力検査を続けて行う場合、最初に行われる検査の準備時に各検眼窓又は各スピーカーがそれぞれ被検眼又は被検者の耳に整合するように矯正装置の高さ位置を調節することにより、後に行われる検査の準備時に矯正装置の高さ位置を調節し直す必要はない。
【００２５】
従って、検査を移行する度に矯正装置と被検者の被検眼及び耳との位置をそれぞれ整合させる場合に比べて、検査の準備に掛かる時間を確実に短縮することができる。
【００２６】
請求項３に記載の発明によれば、各スピーカーは、矯正装置の各検眼窓の配列方向に沿った左右方向、該左右方向に直交する上下方向、及び、上下方向及び左右方向のそれぞれに直交する矯正装置の前後方向のうち少なくとも一方向に移動可能である。
【００２７】
このことから、各スピーカーがそれぞれ左右方向に移動可能である場合には、各スピーカーをそれぞれに対応する被検者の各耳に近づく方向及び各耳から離れる方向に移動させることにより、各スピーカーと各耳との左右方向の間隔を被検者毎に微調整することができる。
【００２８】
また、各スピーカーがそれぞれ上下方向に移動可能である場合には、例えば矯正装置を上下方向に移動させることにより被検眼と各検眼窓との高さ位置の位置合わせと同時に各耳と各スピーカーとの高さ位置の位置合わせを行った後、各スピーカーをそれぞれ上下方向に移動させることにより、各耳と各スピーカーとの高さ位置を被検者毎に微調整することができる。
【００２９】
更に、各スピーカーがそれぞれ前後方向に移動可能である場合には、各スピーカーをそれぞれに対応する被検者の各耳に近づく方向及び各耳から離れる方向に移動させることにより、各スピーカーと各耳との前後方向の間隔を被検者毎に微調整することができる。
【００３０】
また、各スピーカーをそれぞれ移動させることにより被検者の各耳及び各スピーカーの相互の位置関係を微調整することができるので、耳及びスピーカーの相互の位置関係を微調整するために被検者の顔を移動させる必要はない。これにより、被検者への負担をより確実に軽減することができる。
【００３１】
請求項４に記載の発明によれば、矯正装置及び検査音出力装置のそれぞれの作動を制御する制御回路は、音声入力手段から入力部に入力された音声を各スピーカーから出力すべく検査音出力装置の作動を制御可能である。
【００３２】
このことから、音声入力手段から入力された音声を各スピーカーから出力することにより、音声入力手段から入力された音声を被検者の耳の近傍で聴かせることができる。
【００３３】
これにより、被検眼の検査時に視標の見え具合を検者が被検者に質問するとき、音声入力手段に質問を音声で入力することにより、被検者がたとえ高齢者のように聴力が衰えている者であっても、検者が被検者に肉声で質問する場合に比べて、被検者に検者からの質問内容を正確に聞き取らせることができる。
【００３４】
従って、検者が被検者に肉声で質問する場合に比べて、検眼作業を確実に円滑に行うことができる。
【００３５】
また、検者の音声を各スピーカーから出力することにより、検者の音声を被検者の耳の近傍で聴かせることができることから、検者がたとえ小さな声で質問したとしても、その質問内容を被検者に聞き取らせることができる。
【００３６】
これにより、検者が被検者に質問を正確に聞き取らせるために大きな声で質問をする必要はないので、複数の被検者がそれぞれ同一の検査室内で検眼又は聴力検査を行っている場合でも、検者の声が他の被検者に聞こえることを確実に抑制することができる。
【００３７】
従って、検者の声が他の被検者に聞こえることによって他の被検者の検眼及び聴力検査が妨げられることを、確実に抑制することができる。
【００３８】
請求項５に記載の発明によれば、制御回路は、音声入力手段に検者の声と周囲の音とがそれぞれ入力されたとき、検者の声と周囲の音とのそれぞれの音量を比較し、周囲の音の音量が検者の声の音量よりも大きいと判断した場合は、各スピーカーから出力される音声の音量を増大させる。
【００３９】
例えば被検眼の検査時に、視標の見え具合を検者が被検者に質問すべく検者が質問を音声で音声入力手段に入力したとき、周囲が騒がしい場合、検者の声に加えて周囲の騒音が音声入力手段に入力されると、各スピーカーから出力された検者の声が周囲の騒音にかき消されて聞き取り難くなる。
【００４０】
これに対し、本発明によれば、前記したように、音声入力手段により入力された周囲の音の音量が検者の声の音量よりも大きい場合、各スピーカーから出力される音声の音量が増大されることから、周囲が騒がしいときに検者がたとえ小さな声で質問したとしても、各スピーカーから出力される声の音量が増大されることにより、検者が大きな声を出すことなく、検者の質問を被検者に明確に聞き取らせることができる。
【００４１】
請求項６に記載の発明によれば、入力部には被検者の個人データの入力が可能であり、制御回路は、音声入力手段により入力されて各スピーカーから出力される音声の音量を個人データに基づいて調節することから、各スピーカーから出力される音声の音量を被検者毎に該被検者の個人データに応じて増減させることができる。
【００４２】
請求項７に記載の発明によれば、個人データは被検者の年齢を示す年齢データであることから、例えば年齢が大きくなるに従って聴力が衰えることに基づいて年齢と出力音量との関係を設定することにより、視標の見え具合を検者が被検者に質問すべく音声入力手段に入力した検者の声を、被検者の年齢データが示す年齢に応じた音量で各スピーカーから出力することができる。
【００４３】
これにより、被検者が例えば高齢者のように聴力が若年者に比べて衰えている者である場合には、各スピーカーから出力される検者の声の音量を被検者が若年者である場合のそれよりも大きくすることにより、被検者の年齢に拘らず、各スピーカーから出力される検者の声を明確に被検者に聞き取らせることができる。
【００４４】
請求項８に記載の発明によれば、個人データは被検者の聴力を示す聴力データであることから、本発明に係る検眼装置を用いて聴力検査を行った後に検眼を行う場合、検眼時に視標の見え具合を検者が被検者に質問すべく音声入力手段に入力した検者の声を、聴力検査により得られた聴力に応じた音量で各スピーカーから出力することができる。
【発明を実施するための最良の形態】
【００４５】
本発明を図示の実施例に沿って説明する。
【実施例】
【００４６】
本発明に係る検眼装置１０は、図１に示すように、各種の視標１１を被検者１２の左右の被検眼１２ａ，１２ｂ（図２参照。）に呈示するための視標呈示装置１３と、被検眼１２ａ，１２ｂの視機能を矯正するための矯正装置１４とを備える。
【００４７】
視標呈示装置１３は、視標１１が表示される表示画面１５を有する。表示画面１５には、図示の例では、視力検査に用いられる視標１１である従来よく知られたランドルト環が表示されている。表示画面１５への視標１１の表示は、後述するコントローラ１６により制御されている。
【００４８】
矯正装置１４は、視標呈示装置１３と被検者１２との間に配置された検眼テーブル１７に設けられたアーム１８に取り付けられており、左右方向に並べて配置された一対のフォロプタ１９を備える。アーム１８は、その検眼テーブル１７からの高さ位置が調節可能に該検眼テーブルに設けられており、検眼テーブル１７からのアーム１８の高さ位置を調節することにより、検眼テーブル１７からの各フォロプタ１９の高さ位置が調節される。
【００４９】
各フォロプタ１９は、それぞれハウジング２０を備える。各ハウジング２０には、それぞれ視標呈示装置１３の表示画面１５に表示された視標１１を見るための検眼窓２１が形成されている。
【００５０】
各ハウジング２０は、両検眼窓２１の両ハウジング２０間での間隔が被検者１２の左右の被検眼１２ａ，１２ｂの間隔にほぼ等しくなるように、互いに間隔をおいて配置されている。これにより、被検者１２は、各被検眼１２ａ，１２ｂでそれぞれに対応する検眼窓２１を同時に覗くことができる。
【００５１】
各ハウジング２０内には、従来と同様に、互いに屈折力の異なる複数の矯正レンズ２２（図２参照。）が周方向に沿って設けられた環状の図示しないレンズディスクが回転可能に収納されている。各矯正レンズ２２は、それぞれ前記コントローラ１６の制御下で前記レンズディスクの回転により各検眼窓２１内に選択的に配置される。
【００５２】
本発明に係る矯正装置１４には、被検者１２の左右の両耳１２ｃ，１２ｄの聴力を検査するための検査音を出力する検査音出力装置２３が設けられている。
【００５３】
検査音出力装置２３は、一対のスピーカー２４を備える。各スピーカー２４は、図２に示すように、全体に直方体をなすハウジング２５と、該ハウジング内に収容され、音声を出力する出力部２６とをそれぞれ有する。
【００５４】
一方のスピーカー２４のハウジング２５は、被検者１２の右眼１２ａに対応する一方のフォロプタ１９の検眼窓２１の右側に該検眼窓から所定の間隔をおいて配置されている。他方のスピーカー２４のハウジング２５は、被検者１２の左眼１２ｂに対応する他方のフォロプタ１９の検眼窓２１の左側に該検眼窓に所定の間隔をおいて配置されている。各ハウジング２５と各検眼窓２１との間の間隔は、被検者１２が各フォロプタ１９の検眼窓２１を覗くときに各ハウジング２５がそれぞれその行為の妨げにならない大きさに設定されている。また、各ハウジング２５は、図示の例では、それぞれ各検眼窓２１の高さ位置とほぼ同一の高さ位置に配置されている。
【００５５】
各ハウジング２５のそれぞれの長手方向で互いに対向する一対の端壁２５ａのうち一方の端壁２５ａは、それぞれに対応するフォロプタ１９のハウジング２０の被検者１２側に位置する後壁２０ａに対向している。各ハウジング２５には、向かい合う他方のハウジング２５に向けて開放する出音口２５ｂが設けられている。出力部２６から出力された音声は、出音口２５ｂを経てハウジング２５の内方からその外方に放出される。
【００５６】
各スピーカー２４の出力部２５からの検査音の出力は、後述するコントローラ１６により制御されている。
【００５７】
また、各スピーカー２４は、図示の例では、それぞれ支持構造Ｓを介して矯正装置１４に支持されている。
【００５８】
支持構造Ｓは、図３及び図４に示すように、各フォロプタ１９のハウジング２０に形成された一対の第一の案内溝２７と、各スピーカー２４のハウジング２５に形成された一対の第二の案内溝２８と、第一及び第二の各案内溝２７，２８に係合される一対の係合部材２９とを有する。
【００５９】
各第一の案内溝２７は、図３に示すように、それぞれ各ハウジング２０の後壁２０ａに、各スピーカー２４のハウジング２５の前記一方の端壁２５ａに対向する位置で後壁２０ａを貫通して形成されている。また、各第一の案内溝２７は、それぞれ各検眼窓２１よりも上方から各検眼窓２１よりも下方へ向けて各フォロプタ１９の上下方向に沿って直線的に伸びる。
【００６０】
各第二の案内溝２８は、図４に示すように、それぞれ各ハウジング２５の前記一方の端壁２５ａに該端壁を貫通して形成されており、各フォロプタ１９の左右方向に沿ってすなわち第一の案内溝２７の伸長方向に直交する方向に沿って伸びる。これにより、各スピーカー２４のハウジング２５がそれぞれ各フォロプタ１９への所定の取付位置に配置された状態では、第一及び第二の各案内溝２７，２８は、図３に示すように、それぞれ互いに立体交差する。
【００６１】
各係合部材２９は、それぞれ細長い板状をなしており、各フォロプタ１９のハウジング２０内から第一の案内溝２７を経てハウジング２０の前後方向後方へ伸び、更に、第二の案内溝２８を経て各スピーカー２４のハウジング２５内に挿入されて該ハウジング内をその長手方向に沿って伸びる。
【００６２】
各係合部材２９の各フォロプタ１９側に位置する一端部２９ａには、それぞれ各フォロプタ１９のハウジング２０内から第一の案内溝２７の縁部２７ａに係合する第一の係合部３０が形成されている。各第一の係合部３０がそれぞれ第一の案内溝２７の縁部２７ａに係合することにより、各ハウジング２０からの各係合部材２９の抜け出しが防止される。
【００６３】
また、図示の例では、各係合部材２９の一端部２９ａにハウジング２０内から当接する当接部材３１が、各フォロプタ１９のハウジング２０の後壁２０ａに設けられている。各当接部材３１がそれぞれ各係合部材２９の一端部２９ａに当接することにより、各係合部材２９がそれぞれ各フォロプタ１９のハウジング２０内に押し込まれることが防止される。
【００６４】
これにより、各係合部材２９は、それぞれ各フォロプタ１９の左右方向及び前後方向に沿った移動が拘束された状態で、その移動が第一の案内溝２７により案内される。
【００６５】
各係合部材２９の各スピーカー２４側に位置する他端部２９ｂには、それぞれ各第二の案内溝２８の縁部２８ａに各スピーカー２４のハウジング２５の内方から係合可能な第二の係合部３２が形成されている。各第二の係合部３２がそれぞれ第二の案内溝２８の縁部２８ａに係合することにより、各ハウジング２５からの各係合部材２９の抜け出しが防止される。
【００６６】
各スピーカー２４は、各係合部材２９がそれぞれ第一の案内溝２７に沿って案内されることにより、それぞれ各フォロプタ１９の上下方向に沿って各係合部材２９と一体的に移動する。
【００６７】
また、各スピーカー２４は、各係合部材２９がそれぞれ第二の案内溝２８に沿って案内されることにより、各フォロプタ１９の左右方向に沿って各係合部材２９と一体的に移動する。
【００６８】
更に、各スピーカー２４は、各ハウジング２５内への各係合部材２９の挿入量を変化させることにより、各ハウジング２５の前記一方の端壁２５ａがそれぞれ各フォロプタ１９のハウジング２０の後壁２０ａに当接する位置と各係合部材２９の第二の係合部３２がそれぞれ第二の案内溝２８の縁部２８ａに係合する位置との間で、各係合部材２９の長手方向に沿ってすなわち各フォロプタ１９の前後方向に沿って移動する。
【００６９】
更に、本発明に係る検眼装置１０は、図１に示すように、矯正装置１４、視標呈示装置１３及び検査音出力装置２３のそれぞれの作動を制御するための前記したコントローラ１６を備える。
【００７０】
コントローラ１６は、図５及び図６に示すように、検者Ｔ（図１参照。）により操作される操作部３３と、該操作部の操作内容を示す操作画像が表示される表示部３４とを有する。
【００７１】
また、コントローラ１６は、操作部３３の操作に基づいて視標呈示装置１３、矯正装置１４及び表示部３４の作動を制御する制御回路３５と、メモリ部３６とを有する。
【００７２】
メモリ部３６は、図５に示すように、制御回路３５に接続されている。メモリ部３６には、各種の検査に用いられる各種の視標１１を示す視標データ３７と、各矯正レンズ２２の球面度数、乱視度数、軸角度等の屈折力を示すレンズデータ３８とがそれぞれ記憶されている。
【００７３】
また、メモリ部３６には、被検者１２の聴力検査に用いられる検査音を示す検査音データ３９が記憶されている。検査音データ３９は、各スピーカー２４からの出力音量毎すなわち検査対象となる検査音量毎にメモリ部３６に記憶されている。
【００７４】
操作部３３は、制御回路３５に接続されている。操作部３３には、各フォロプタ１９の検眼窓２１内に配置する矯正レンズ２２を選択するためのダイヤル４０、及び、視標呈示装置１３の表示画面１５に表示させる視標１１を選択するための複数の視標選択スイッチ４１が設けられている。
【００７５】
また、操作部３３には、検査モード切替スイッチ４２、聴力検査に用いられる検査音を選択するための複数の検査音選択スイッチ４３、及び、後述するマイクロホン４４（以下、マイクと称す。）からの音声の入力を可能とするための音声入力スイッチ４５が設けられている。
【００７６】
検査モード切替スイッチ４２は、被検眼１２ａ，１２ｂの視機能検査を行う検眼モードと各スピーカー２４を用いて被検者１２の聴力検査を行う聴力検査モードとを互いに切り替えるために操作される。
【００７７】
各検査音選択スイッチ４３は、それぞれメモリ部３６に記憶された各出力音量に対応して操作部３３に設けられている。
【００７８】
表示部３４は、制御回路３５に接続されており、図６に示すように、操作部３３の前記した各スイッチの操作により設定された内容が表示される表示画面４７を有する。
【００７９】
制御回路３５は、図５に示すように、操作部３３に接続された判定部４８と、メモリ部３６に接続された抽出部４９と、外部からのデータの入力を受ける入力部５０とを備える。
【００８０】
更に、制御回路３５は、表示部３４及び視標呈示装置１３に接続された画像出力部５１と、各スピーカー２４に接続された音声出力部５２と、該音声出力部から出力される音声の大きさを調節する音量調節手段５３とを備える。
【００８１】
以下、被検眼１２ａ，１２ｂの視力値を測定するときと被検者１２の聴力検査を行うときとの制御回路３５による制御作用を図７のフローチャートに基づいて説明する。
【００８２】
制御回路３５は、操作部３３の検査モード切替スイッチ４２判定部４８に送られてくる信号に基づいて、設定された検査モードが検眼モード及び聴力検査モードのうちのいずれであるかを判定部４８で判定する（ステップＳ１）。
【００８３】
制御回路３５は、設定された検査モードが検眼モードであると判定部４８で判定した場合、視標選択スイッチ４１から信号を受けたか否か、すなわち、視標選択スイッチ４１が操作されたか否かを判定部４８で判定する（ステップＳ２）。
【００８４】
制御回路３５は、視標選択スイッチ４１から信号を受けていないと判定部４８で判定した場合、すなわち、視標選択スイッチ４１が操作されていないと判定部４８で判定した場合は、ステップＳ２を繰り返す。
【００８５】
制御回路３５は、視標選択スイッチ４１から信号を受けたと判定部４８で判定した場合、すなわち、視標選択スイッチ４１が操作されたと判定部４８で判定した場合は、視標選択スイッチ４１から受ける信号に基づいて、選択された視標１１がいずれの視標１１であるかを判定し、その視標１１を示す視標信号を抽出部４９に出力する（ステップＳ３）。
【００８６】
制御回路３５は、選択された視標１１を示す信号が判定部４８から抽出部４９に出力されると、その視標１１に対応する視標データ３７を抽出部４９によってメモリ部３６から抽出する（ステップＳ４）。
【００８７】
制御回路３５は、抽出部４９で抽出した視標データ３７が示す視標１１を表示画面１５に表示させる旨の視標画像信号を抽出部４９から視標呈示装置１３に画像出力部５１を介して出力する（ステップＳ５）。
【００８８】
これにより、視標呈示装置１３の表示画面１５には、操作部３３の複数の視標選択スイッチ４１から選択された視標選択スイッチ４１に対応する視標１１が表示される。
【００８９】
検者Ｔは、視標呈示装置１３の表示画面１５を矯正レンズ２２が配置されていない状態の各検眼窓２１を通して被検者１２に見させ、その見え具合を被検者１２に質問する。検者Ｔは、被検者１２からの応答に基づいて、ダイヤル４０を操作する。
【００９０】
このとき、制御回路３５は、操作部３３のダイヤル４０が操作されたことを示す操作信号を受けたか否かを判定部４８で判定する（ステップＳ６）。
【００９１】
制御回路３５は、操作部３３から前記操作信号を受けていないと判定部４８で判定した場合、すなわち、ダイヤル４０が操作されていない場合、ステップＳ６を繰り返す。
【００９２】
制御回路３５は、操作部３３から前記操作信号を受けたと判定部４８で判定した場合、すなわち、ダイヤル４０が操作された場合、この操作信号に基づいてダイヤル４０の操作位置を判定し、その操作位置を示す操作位置信号を抽出部４９に出力する（ステップＳ７）。
【００９３】
制御回路３５は、抽出部４９が操作位置信号を判定部４８から受けると、その操作位置信号に基づいて操作位置に応じた屈折力を示すレンズデータ３８をメモリ部３６から抽出し、抽出したレンズデータ３８が示す屈折力を有する矯正レンズ２２を各フォロプタ１９の検眼窓２１内に配置する旨の制御信号を抽出部４９から矯正装置１４に画像出力部５１を介して出力する（ステップＳ８）。
【００９４】
これにより、ダイヤル４０の操作により選択された屈折力を有する矯正レンズ２２が各フォロプタ１９の検眼窓２１内に配置される。
【００９５】
検者Ｔは、各検眼窓２１内に配置される矯正レンズ２２をダイヤル４０の操作により繰り返し交換することにより、被検眼１２ａ，１２ｂの視機能を矯正レンズ２２で矯正する。これにより、作成すべき眼鏡のレンズの屈折度数を定めることができる。
【００９６】
他方、制御回路３５は、ステップＳ１において、設定された検査モードが聴力検査モードであると判定部４８で判定した場合、検査音選択スイッチ４３から信号を受けたか否か、すなわち、検査音選択スイッチ４３が操作されたか否かを判定部４８で判定する（ステップＳ９）。
【００９７】
制御回路３５は、検査音選択スイッチ４３から信号を受けていないと判定部４８で判定した場合、すなわち、検査音選択スイッチ４３が操作されていないと判定部４８で判定した場合は、ステップＳ９を繰り返す。
【００９８】
制御回路３５は、検査音選択スイッチ４３から信号を受けたと判定部４８で判定した場合、すなわち、検査音選択スイッチ４３が操作されたと判定部４８で判定した場合は、検査音選択スイッチ４３から受ける信号に基づいて、選択された検査音の出力音量がいずれの出力音量であるかを判定し、その出力音量を示す音量信号を抽出部４９に出力する（ステップＳ１０）。
【００９９】
検者Ｔは、検査音選択スイッチ４３を操作するに先立って、被検者１２が各被検眼１２ａ，１２ｂでそれぞれ対応する検眼窓２２を覗いた状態で、各スピーカー２４をそれぞれ前記したように各フォロプタ１９の上下方向、左右方向及び前後方向に移動させることにより、各スピーカー２４がそれぞれ被検者１２の各耳１２ｃ，１２ｄに近接するように各スピーカー２４の位置を調節する。
【０１００】
制御回路３５は、前記音量信号が判定部４８から抽出部４９に出力されると、その出力音量に対応する検査音を示す検査音データ３９を抽出部４９によってメモリ部３６から抽出する（ステップＳ１１）。
【０１０１】
制御回路３５は、抽出部４９で抽出した検査音データ３９が示す出力音量の検査音を各スピーカー２４から出力させる旨の音声出力信号を抽出部４９から各スピーカー２４に音声出力部５２を介して出力する（ステップＳ１２）。
【０１０２】
これにより、操作部３３の検査音選択スイッチ４３の操作により選択された出力音量の検査音が、矯正装置１４の各フォロプタ１９に設けられた各スピーカー２４から出力される。
【０１０３】
検者Ｔは、各スピーカー２４から出力される検査音を被検者１２に聴かせ、その聴こえ具合を被検者１２に質問する。検者Ｔは、被検者１２からの応答に基づいて、他の検査音選択スイッチ４３を操作することにより検査音の音量を変更する。この作業を繰り返し行うことにより、従来と同様に、被検者１２の聴力を定めることができる。
【０１０４】
更に、本発明に係る検眼装置１０は、図５に示すように、入力部５０に音質及び音量等の音声データを入力するための音声入力手段５４を備える。音声入力手段５４は、前記したマイク４４で構成されており、図示の例では、操作部３３に設けられている。マイク４４は、本実施例では、被検者１２の検眼時に検者Ｔから被検者１２に視標１１の見え具合を質問するときに用いられる。
【０１０５】
マイク４４から入力した声を各スピーカー２４から出力するときの制御回路３５による制御作用を図８のフローチャートに基づいて説明する。
【０１０６】
制御回路３５は、検査モード切替スイッチ４２の操作により検査モードが検眼モードにおかれた状態で音声入力スイッチ４５から信号を受けたか否か、すなわち、音声入力スイッチ４５が操作されたか否かを判定部４８で判定する（ステップＳ２０）。
【０１０７】
制御回路３５は、音声入力スイッチ４５から信号を受けていないと判定部４８で判定した場合、すなわち、音声入力スイッチ４５が操作されていないと判定部４８で判定した場合、ステップＳ２０を繰り返す。
【０１０８】
制御回路３５は、音声入力スイッチ４５から信号を受けたと判定部４８で判定した場合、すなわち、音声入力スイッチ４５が操作されたと判定部４８で判定した場合、マイク４４から入力部５０に音声データが入力されたか否かを判定部４８で判定する（ステップＳ２１）。
【０１０９】
制御回路３５は、マイク４４から入力部５０に音声データが入力されていないと判定部４８で判定した場合、ステップＳ２１を繰り返す。
【０１１０】
制御回路３５は、マイク４４から入力部５０に音声データが入力されたと判定部４８で判定した場合、音声データを示す音声信号を判定部４８から音量調節手段５３に出力する（ステップＳ２２）。
【０１１１】
制御回路３５は、前記音声信号が判定部４８から音量調節手段５３に出力されると、音声信号に示された音声データに含まれる検者Ｔの声と検眼装置１０の周囲の音とのそれぞれの音量を音量調節手段５３で比較する（ステップＳ２３）。
【０１１２】
このとき、音量調節手段５３は、周囲の音の音量が検者の声の音量よりも小さいと判断した場合は、音量調節処理を行わず、判定部４８から出力された音声信号が示す音声を出力する旨の音声出力信号を各スピーカー２４に音声出力部５２を介して出力する（ステップＳ２４）。
【０１１３】
これにより、マイク４４から入力部５０に入力された検者Ｔの声が各スピーカー２４の出力部２６から出力される。
【０１１４】
他方、音量調節手段５３は、周囲の音の音量が検者Ｔの声の音量よりも大きいと判断した場合は、検者Ｔの声の音量が周囲の音の音量よりも大きくなるように検者Ｔの声の音量を増幅させる音量調節処理を行い、音量調節処理した検者Ｔの声と周囲の音とを含む音声を出力する旨の音声出力信号を各スピーカー２４に音声出力部５２を介して出力する（ステップＳ２５）。
【０１１５】
これにより、マイク４４から入力部５０に入力された検者Ｔの声が周囲の音にかき消されることなく各スピーカー２４の出力部２６から出力される。
【０１１６】
このとき、前記したように、各スピーカー２４のハウジング２５に、それぞれ向かい合う他方のハウジング２５に向けて開放する出音口２５ｂが設けられていることから、各出音口２５ｂは、それぞれ被検者１２が各被検眼１２ａ，１２ｂでそれぞれ対応する検眼窓２２を覗いた状態で被検者１２の各耳１２ｃ，１２ｄに対向する。これにより、各スピーカー２４の出力部２６から出力された音声は、出音口２５ｂを経てハウジング２５の内方から被検者１２の各耳１２ｃ，１２ｄに向けて放出される。従って、各出力部２６から出力された音声を被検者１２の耳１２ｃ，１２ｄに明確に聴かせることができる。
【０１１７】
本実施例によれば、前記したように、各検眼窓２１を通して視標１１を見る被検眼１２ａ，１２ｂの視機能を矯正するための矯正装置１４の各フォロプタ１９に、被検者１２の聴力を検査するための検査音を出力する検査音出力装置２３が設けられていることから、眼鏡を処方するための視機能の検査と補聴器を処方するための聴力検査とを単一の装置を用いて行うことができる。
【０１１８】
これにより、検眼及び聴力検査を続けて行う場合、一方の検査を行ったときと同一の場所で他方の検査を行うことができるので、前記一方の検査が終了した後、前記他方の検査を行うために該他方の検査を行うための装置が配置されている場所に被検者１２を移動させる必要はない。
【０１１９】
従って、被検者１２が高齢者である場合や車椅子に乗っている場合でも、検眼と聴力検査とが別個の装置を用いて行われる従来の場合のような不便さを被検者１２に与えることなく、検眼及び聴力検査を確実に容易に続けて行うことができる。
【０１２０】
また、前記したように、検査音出力装置２３の一対のスピーカー２４のうち一方のスピーカー２４は、被検者１２の右眼１２ａに対応する一方の検眼窓２１の右側に配置されており、他方のスピーカー２４は、被検者の左眼１２ｂに対応する他方の検眼窓の左側に配置されている。また、各スピーカー２４は、それぞれ各検眼窓２１の高さ位置とほぼ同一の高さ位置に配置されている。
【０１２１】
これらのことから、被検者１２が被検眼１２ａ，１２ｂで各検眼窓２１を覗いている状態では、前記一方のスピーカー２４は、左右の被検眼１２ａ，１２ｂとほぼ同一の高さ位置に位置する左右の耳１２ｃ，１２ｄのうち右側の耳１２ｃの近傍に配置され、前記他方のスピーカー２４は、左側の耳１２ｄの近傍に配置される。
【０１２２】
これにより、例えば、被検眼１２ａ，１２ｂの検査を行った後、被検者１２が被検眼１２ａ，１２ｂで各検眼窓２１を覗いている状態で各スピーカー２４から検査音を出力することにより、検眼を行った姿勢を維持した状態で被検者１２の聴力検査を行うことができる。
【０１２３】
従って、検眼及び聴力検査のうち一方の検査から他方の検査に移行するとき、被検者１２に格別な動作を行わせる必要はないので、被検者１２に不便さを与えることをより確実に防止することができる。
【０１２４】
また、例えば各検眼窓２１の高さ位置を被検眼１２ａ，１２ｂの高さ位置に合わせるために各フォロプタ１９の高さ位置を調節したとき、それと同時に各スピーカー２４の位置をそれぞれ被検者１２の各耳１２ｃ，１２ｄの位置に整合させることができる。
【０１２５】
これにより、検眼及び聴力検査を続けて行う場合、最初に行われる検査の準備時に各検眼窓２１又は各スピーカー２４がそれぞれ被検眼１２ａ，１２ｂ又は被検者の耳１２ｃ，１２ｄに整合するように各フォロプタ１９の高さ位置を調節することにより、後に行われる検査の準備時に各フォロプタ１９の高さ位置を調節し直す必要はない。
【０１２６】
従って、検査を移行する度に各フォロプタ１９と被検者１２の被検眼１２ａ，１２ｂ及び耳１２ｃ，１２ｄとの位置をそれぞれ整合させる場合に比べて、検査の準備に掛かる時間を確実に短縮することができる。
【０１２７】
更に、前記したように、各スピーカー２４は、それぞれ各フォロプタ１９左右方向、上下方向及び前後方向に移動可能である。
【０１２８】
このことから、各スピーカー２４をそれぞれ左右方向に移動させることにより、各スピーカー２４と各耳１２ｃ，１２ｄとの左右方向の間隔を被検者１２毎に微調整することができる。
【０１２９】
また、被検眼１２ａ，１２ｂと各検眼窓２１との高さ位置の位置合わせと同時に各耳１２ｃ，１２ｄと各スピーカー２４との高さ位置の位置合わせを行った後、各スピーカー２４をそれぞれ上下方向に移動させることにより、各耳１２ｃ，１２ｄと各スピーカー２４との高さ位置を被検者１２毎に微調整することができる。
【０１３０】
更に、各スピーカー２４をそれぞれ前後方向に移動させることにより、各スピーカー２４と各耳１２ｃ，１２ｄとの前後方向の間隔を被検者１２毎に微調整することができる。
【０１３１】
また、各スピーカー２４をそれぞれ移動させることにより被検者１２の各耳１２ｃ，１２ｄ及び各スピーカー２４の相互の位置関係を微調整することができることから、耳１２ｃ，１２ｄ及びスピーカー２４の相互の位置関係を微調整するために被検者１２の顔を移動させる必要はない。これにより、被検者１２への負担をより確実に軽減することができる。
【０１３２】
また、前記したように、矯正装置１４及び検査音出力装置２３のそれぞれの作動を制御する制御回路３５は、音声入力手段５４であるマイク４４から入力部５０に入力された音声を各スピーカー２４から出力すべく検査音出力装置２３の作動を制御可能である。
【０１３３】
従来、被検眼１２ａ，１２ｂの視機能を検査する際、各検眼窓２１内に配置された矯正レンズ２２を通して視標１１を見たときの視標１１の見え具合を検者Ｔが被検者１２に質問したとき、被検者１２が高齢者のように聴力が衰えている者である場合、被検者１２が質問を正確に聞き取れないことがある。このような場合、検眼作業を円滑に行うことができない。
【０１３４】
被検者１２が質問を正確に聞き取ることができるように、検者Ｔが大きな声で質問をすることが考えられるが、複数の被検者１２がそれぞれ同一の検査室内で検眼又は聴力検査を行っている場合には、検者Ｔの声が他の被検者１２にも聞こえてしまい、他の被検者１２の検眼及び聴力検査の妨げになってしまう。
【０１３５】
これに対し、本実施例によれば、前記したように、マイク４４から入力された音声が各スピーカー２４から出力されることから、マイク４４から入力された音声を被検者１２の耳１２ｃ，１２ｄの近傍で聴かせることができる。
【０１３６】
これにより、被検眼１２ａ，１２ｂの検査時に視標１１の見え具合を検者Ｔが被検者１２に質問するとき、マイク４４に質問を音声で入力することにより、被検者１２がたとえ高齢者のように聴力が衰えている者であっても、検者Ｔが被検者１２に肉声で質問する場合に比べて、被検者１２に検者Ｔからの質問内容を正確に聞き取らせることができる。
【０１３７】
従って、検者Ｔが被検者１２に肉声で質問する場合に比べて、検眼作業を確実に円滑に行うことができる。
【０１３８】
また、検者Ｔの音声を各スピーカー２４から出力することにより、検者Ｔの音声を被検者１２の耳１２ｃ，１２ｄの近傍で聴かせることができることから、検者Ｔがたとえ小さな声で質問したとしても、その質問内容を被検者１２に聞き取らせることができる。
【０１３９】
これにより、検者Ｔが被検者１２に質問を正確に聞き取らせるために大きな声で質問をする必要はないので、複数の被検者１２がそれぞれ同一の検査室内で検眼又は聴力検査を行っている場合でも、検者Ｔの声が他の被検者１２に聞こえることを確実に抑制することができる。
【０１４０】
従って、検者Ｔの声が他の被検者１２に聞こえることによって他の被検者１２の検眼及び聴力検査が妨げられることを、確実に抑制することができる。
【０１４１】
更に、前記したように、制御回路３５は、マイク４４に検者Ｔの声と周囲の音とがそれぞれ入力されたとき、検者Ｔの声と周囲の音とのそれぞれの音量を比較し、周囲の音の音量が検者Ｔの声の音量よりも大きいと判断した場合は、各スピーカー２４から出力される音声の音量を増大させる。
【０１４２】
例えば被検眼１２ａ，１２ｂの検査時に、視標１１の見え具合を検者Ｔが被検者１２に質問すべく検者Ｔが質問を音声でマイク４４に入力したとき、周囲が騒がしい場合、検者Ｔの声に加えて周囲の騒音がマイク４４に入力されるため、各スピーカー２４から出力された検者Ｔの声が周囲の騒音にかき消されて聞き取り難くなる。
【０１４３】
これに対し、本実施例によれば、前記したように、マイク４４により入力された周囲の音の音量が検者Ｔの声の音量よりも大きい場合、各スピーカー２４から出力される音声の音量が増大されることから、周囲が騒がしいときに検者Ｔがたとえ小さな声で質問したとしても、各スピーカー２４から出力される声の音量が増大されることにより、検者Ｔが大きな声を出すことなく、検者Ｔの質問を被検者１２に明確に聞き取らせることができる。
【０１４４】
本実施例において、入力部５０には被検者１２の個人データを入力し、マイク４４により入力されて各スピーカーから出力される音声の音量を個人データに基づいて制御回路により制御することができる。
【０１４５】
この場合、本発明に係る検眼装置１０を用いた聴力検査により得られた被検者１２の聴力値を示す聴力データで個人データを構成し、例えば聴力検査を行った後に検眼を行う場合に、メモリ部３６に記憶された前記聴力データに基づいて、各スピーカー２４からの音声の出力音量を制御回路３５により以下に示すように制御することができる。
【０１４６】
また、この場合、聴力検査により得られた検査聴力値と出力音量との関係を示す聴力音量データテーブルをメモリ部３６に記憶させることができる。
【０１４７】
このような場合にマイク４４から入力された声を各スピーカー２４から出力するときの制御回路３５による制御作用を図９のフローチャートに基づいて説明する。
【０１４８】
制御回路３５は、検査モード切替スイッチ４２の操作により検査モードが検眼モードにおかれた状態で音声入力スイッチ４５から信号を受けたか否か、すなわち、音声入力スイッチ４５が操作されたか否かを判定部４８で判定する（ステップＳ３０）。
【０１４９】
制御回路３５は、音声入力スイッチ４５から信号を受けていないと判定部４８で判定した場合、すなわち、音声入力スイッチ４５が操作されていないと判定部４８で判定した場合、ステップＳ３０を繰り返す。
【０１５０】
制御回路３５は、音声入力スイッチ４５から信号を受けたと判定部４８で判定した場合、すなわち、音声入力スイッチ４５が操作されたと判定部４８で判定した場合、マイク４４から入力部５０に音声データが入力されたか否かを判定部４８で判定する（ステップＳ３１）。
【０１５１】
制御回路３５は、マイク４４から入力部５０に音声データが入力されていないと判定部４８で判定した場合、ステップＳ３１を繰り返す。
【０１５２】
制御回路３５は、マイク４４から入力部５０に音声データが入力されたと判定部４８で判定した場合、メモリ部３６に前記聴力データが記憶されているか否かを判定部４８で判定する（ステップＳ３２）。
【０１５３】
制御回路３５は、メモリ部３６に前記聴力データが記憶されていないと判定部４８で判定した場合、音声データを示す音声信号を判定部４８から音量調節手段５３に出力し（ステップＳ３３）、図８のステップＳ２３に進む。
【０１５４】
他方、制御回路３５は、メモリ部３６に前記聴力データが記憶されていると判定部４８で判断した場合には、前記聴力データをメモリ部３６から抽出部４９により抽出し、前記聴力データとマイク４４からの音声データとを示す音声信号を抽出部４９から音量調節手段５３に出力する（ステップＳ３４）。
【０１５５】
このとき、音量調節手段５３は、前記聴力データとマイク４４からの音声データとを示す音声信号を抽出部４９から受けると、音声データから検者Ｔの声を示す声データを抽出する（ステップＳ３５）。
【０１５６】
続いて、音量調節手段５３は、メモリ部３６に記憶された前記聴力音量データテーブルに基づいて前記聴力データに対応する出力音量を算出する（ステップＳ３６）。
【０１５７】
更に、音量調節手段５３は、前記声データが示す検者Ｔの声の音量が算出した出力音量となるように音量調節処理を行う（ステップＳ３７）。
【０１５８】
次に、音量調節手段５３は、音量調節処理を行った声データの音量と音声データに含まれる検眼装置１０の周囲の音の音量とを比較する（ステップＳ３８）。
【０１５９】
音量調節手段５３は、周囲の音の音量が検者の声の音量よりも小さいと判断した場合、音量調節処理を行った声データが示す検者Ｔの声と周囲の音とを含む音声を各スピーカー２４から出力させる旨の音声出力信号を各スピーカー２４に音声出力部５２を介して出力する（ステップＳ３９）。
【０１６０】
これにより、マイク４４から入力部５０に入力された検者Ｔの声が各スピーカー２４の出力部２６から被検者１２の聴力に応じた大きさの音量で出力される。
【０１６１】
他方、音量調節手段５３は、ステップＳ３６で周囲の音の音量が検者の声の音量よりの大きいと判断した場合は、音量調節処理を行った声データが示す検者Ｔの声の音量が周囲の音の音量よりも大きくなるように検者Ｔの声の音量を増幅させる音量調節処理を更に行い、音量調節処理した検者Ｔの声と周囲の音とを含む音声を各スピーカー２４から出力させる旨の音声出力信号を各スピーカー２４に音声出力部５２を介して出力する（ステップＳ４０）。
【０１６２】
これにより、マイク４４から入力部５０に入力された検者Ｔの声が周囲の音にかき消されることなく被検者１２の聴力に応じた大きさの音量で各スピーカー２４の出力部２６から出力される。
【０１６３】
図９に示す例では、被検者１２の個人データが聴力データで構成された例を示したが、これに代えて、個人データを被検者１２の年齢を示す年齢データで構成することができる。この場合、年齢データを入力部５０に検眼を行うに先立って予め入力してこの個人データをメモリ部３６に記憶させ、年齢と年齢に応じた一般的な聴力と各スピーカー２４からの出力音量との間の関係を示す年齢音量データテーブルをメモリ部３６に記憶させることができる。
【０１６４】
このような場合にマイク４４から入力された声を各スピーカー２４から出力するときの制御回路３５による制御作用を図１０のフローチャートに基づいて説明する。
【０１６５】
制御回路３５は、検査モード切替スイッチ４２の操作により検査モードが検眼モードにおかれた状態で音声入力スイッチ４５から信号を受けたか否か、すなわち、音声入力スイッチ４５が操作されたか否かを判定部４８で判定する（ステップＳ５０）。
【０１６６】
制御回路３５は、音声入力スイッチ４５から信号を受けていないと判定部４８で判定した場合、すなわち、音声入力スイッチ４５が操作されていないと判定部４８で判定した場合、ステップＳ５０を繰り返す。
【０１６７】
制御回路３５は、音声入力スイッチ４５から信号を受けたと判定部４８で判定した場合、すなわち、音声入力スイッチ４５が操作されたと判定部４８で判定した場合、マイク４４から入力部５０に音声データが入力されたか否かを判定部４８で判定する（ステップＳ５１）。
【０１６８】
制御回路３５は、マイク４４から入力部５０に音声データが入力されていないと判定部４８で判定した場合、ステップＳ５１を繰り返す。
【０１６９】
制御回路３５は、マイク４４から入力部５０に音声データが入力されたと判定部４８で判定した場合、メモリ部３６に前記年齢データが記憶されているか否かを判定部４８で判定する（ステップＳ５２）。
【０１７０】
制御回路３５は、メモリ部３６に前記年齢データが記憶されていないと判定部４８で判定した場合、音声データを示す音声信号を判定部４８から音量調節手段５３に出力し（ステップＳ５３）、図８のステップＳ２３に進む。
【０１７１】
他方、制御回路３５は、メモリ部３６に前記年齢データが記憶されていると判定部４８で判断した場合には、前記年齢データをメモリ部３６から抽出部４９により抽出し、前記年齢データとマイク４４からの音声データとを示す年齢音声信号を抽出部４９から音量調節手段５３に出力する（ステップＳ５４）。
【０１７２】
このとき、音量調節手段５３は、前記年齢データとマイク４４からの音声データとを示す音声信号を抽出部４９から受けると、音声データから検者Ｔの声を示す声データを抽出する（ステップＳ５５）。
【０１７３】
続いて、音量調節手段５３は、メモリ部３６に記憶された前記年齢音量データテーブルに基づいて前記年齢データに対応する一般的な聴力を算出し（ステップＳ５６）、更に、算出した聴力に基づいて出力音量を算出する（ステップＳ５７）。
【０１７４】
更に、音量調節手段５３は、前記声データが示す検者Ｔの声の音量が算出した出力音量となるように音量調節処理を行う（ステップＳ５８）。
【０１７５】
続いて、音量調節手段５３は、音量調節処理を行った声データの音量と音声データに含まれる検眼装置１０の周囲の音の音量とを比較する（ステップＳ５９）。
【０１７６】
音量調節手段５３は、周囲の音の音量が検者の声の音量よりも小さいと判断した場合、音量調節処理を行った声データが示す検者Ｔの声と周囲の音とを含む音声を各スピーカー２４から出力させる旨の音声出力信号を各スピーカー２４に音声出力部５２を介して出力する（ステップＳ６０）。
【０１７７】
これにより、マイク４４から入力部５０に入力された検者Ｔの声が各スピーカー２４の出力部２６から被検者１２の年齢に応じた大きさの音量で出力される。
【０１７８】
他方、音量調節手段５３は、ステップＳ４６で周囲の音の音量が検者の声の音量よりの大きいと判断した場合は、音量調節処理を行った声データが示す検者Ｔの声の音量が周囲の音の音量よりも大きくなるように検者Ｔの声の音量を増幅させる音量調節処理を更に行い、音量調節処理した検者Ｔの声と周囲の音とを含む音声を各スピーカー２４から出力させる旨の音声出力信号を各スピーカー２４に音声出力部５２を介して出力する（ステップＳ６１）。
【０１７９】
これにより、マイク４４から入力部５０に入力された検者Ｔの声が周囲の音にかき消されることなく被検者１２の年齢に応じた大きさの音量で各スピーカー２４の出力部２６から出力される。
【０１８０】
図１０に示す例によれば、前記したように、個人データが被検者１２の年齢を示す年齢データであることから、例えば年齢が大きくなるに従って聴力が衰えることに基づいて年齢と出力音量との関係を設定することにより、視標１１の見え具合を検者Ｔが被検者１２に質問すべくマイク４４に入力した検者Ｔの声を、被検者１２の年齢データが示す年齢に応じた音量で各スピーカー２４から出力することができる。
【０１８１】
これにより、被検者１２が例えば高齢者のように聴力が若年者に比べて衰えている者である場合には、各スピーカー２４から出力される検者Ｔの声の音量を被検者１２が若年者である場合のそれよりも大きくすることにより、被検者１２の年齢に拘らず、各スピーカー２４から出力される検者Ｔの声を明確に被検者１２に聞き取らせることができる。
【０１８２】
図１乃至図１０に示す例では、各スピーカー２４が各フォロプタ１９の上下方向、左右方向及び前後方向のそれぞれの方向に移動可能に各フォロプタ１９に取り付けられた例を示したが、これに代えて、上下方向、左右方向及び前後方向のうち一方向又は二方向に移動可能となるように、各スピーカー２４をそれぞれ各フォロプタ１９に取り付けることができる。
【０１８３】
また、図１乃至図１０に示す例では、各スピーカー２４がそれぞれ各フォロプタ１９に支持構造Ｓを介して支持された例を示したが、これに代えて、各スピーカー２４が各フォロプタ１９の上下方向、左右方向及び前後方向のいずれかの方向に移動可能となるように各スピーカー２４をそれぞれ各フォロプタ１９に取り付けることができれば、本実施例に係る支持構造Ｓ以外の構造を本発明に適用することができる。
【０１８４】
更に、図１乃至図１０に示す例では、音声入力手段５４がマイク４４で構成された例を示したが、これに代えて、入力部５０に音声を入力することができれば、マイク４４以外の手段で音声入力手段５４を構成することができる。
【図面の簡単な説明】
【０１８５】
【図１】本発明に係る検眼装置を概略的に示す斜視図である。
【図２】本発明に係る矯正装置を概略的に示す平面図である。
【図３】本発明に係る矯正装置を概略的に示す正面図である。
【図４】本発明に係るフォロプタへのスピーカーへの支持構造を概略的に示す縦断面図である。
【図５】本発明に係る検眼装置を概略的に示すブロック図である。
【図６】本発明に係るコントローラを概略的に示す平面図である。
【図７】被検眼の視力値を測定するときと被検者の聴力検査を行うときとの制御回路による制御作用を示すフローチャートである。
【図８】マイクから入力した声を各スピーカーから出力するときの制御回路による制御作用を示すフローチャートである。
【図９】被検者の聴力データと検査聴力値及び出力音量の関係を示す聴力音量データテーブルとがそれぞれメモリ部に記憶されたときの、マイクから入力された声を各スピーカーから出力するときの制御回路による制御作用を示すフローチャートである。
【図１０】被検者の年齢データと、年齢、年齢に応じた一般的な聴力及び各スピーカーからの出力音量との間の関係を示す年齢音量データテーブルとがそれぞれメモリ部に記憶されたときの、マイクから入力された声を各スピーカーから出力するときの制御回路による制御作用を示すフローチャートである。
【符号の説明】
【０１８６】
１０  検眼装置
１１  視標
１２  被検者
１２ａ，１２ｂ  被検眼
１４  矯正装置
２１  検眼窓
２２  光学素子（矯正レンズ）
２３  検査音出力装置
２４  スピーカー
３５  制御回路
５０  入力部
５４  音声入力手段
【図１】
2008220805.tif 000003
【図２】
2008220805.tif 000004
【図３】
2008220805.tif 000005
【図４】
2008220805.tif 000006
【図５】
2008220805.tif 000007
【図６】
2008220805.tif 000008
【図７】
2008220805.tif 000009
【図８】
2008220805.tif 000010
【図９】
2008220805.tif 000011
【図１０】
2008220805.tif 000012